(57)【特許請求の範囲】
【請求項１】
フロンド板４にカバーされ、かつ、開口１１ａを有する錠箱３の裏板１１と、前記開口１１ａに先端部が臨むように枢軸１８に軸支された切換えレバーＹと、この切換えレバーＹを任意に切換えた時に前記先端部が選択的に係合する上方係合部７８と下方係合部７９とを有し、かつ、前記開口１１ａに嵌合する切換えレバー用支持枠７１とから成り、前記切換えレバーＹは、内側の操作部材のロック態様切換え用の内側切換えレバー５１と、外側の操作部材のロック態様切換え用外側切換えレバー５２と、電気錠の作動モードを非通電時施錠型か、それとも通電時施錠型かに切換えるための作動モード切換えレバー６５のいずれか一つ以上であることを特徴とする電気錠の切換えレバーと支持枠との構造。
【請求項２】
請求項１に於いて、切換えレバーＹを構成する内側切換えレバー５１と、外側切換えレバー５２及び作動モード切換えレバー６５は、一つの枢軸１８に併設状態に設けられていることを特徴とする電気錠の切換えレバーと支持枠との構造。
【請求項３】
請求項１又は請求項２に於いて、支持枠７１は、切換えレバーＹの先端部と係合する格子状の係止部７２を有することを特徴とする電気錠の切換えレバーと支持枠との構造。
【請求項４】
請求項３に於いて、支持枠７１を開くことができるように該支持枠の一端部には、裏板１１の内壁面に当接する突起７４ａ，７４ａが設けられていることを特徴とする電気錠の切換えレバーと支持枠との構造。
【請求項５】
フロンド板４にカバーされ、かつ、開口１１ａを有する錠箱３の裏板１１と、前記開口１１ａに先端部が臨むように一つの枢軸１８に軸支された切換えレバーＹと、この切換えレバーＹを任意に切換えた時に前記先端部が選択的に係合する上方係合部７８と下方係合部７９とを有し、かつ、前記開口１１ａに嵌合する切換えレバー用支持枠７１とから成り、前記切換えレバーＹは、内側の操作部材のロック態様切換え用の内側切換えレバー５１と、外側の操作部材のロック態様切換え用外側切換えレバー５２と、電気錠の作動モードを非通電時施錠型か、それとも通電時施錠型かに切換えるための作動モード切換えレバー６５のいずれか一つ以上であり、また、切換えレバーＹの変位部の先端部には、錠箱内に固定された固定部材のクリック感用突起１３ｄと摺接係合する係合爪が形成されていることを特徴とする電気錠の切換えレバーと支持枠との構造。
【請求項６】
請求項５に於いて、固定部材は、デッドボルト用の案内部材であることを特徴とする電気錠の切換えレバーと支持枠との構造。
【請求項７】
請求項５に於いて、錠箱３内に、作動モード切換え手段６５によって水平方向へと位置が変わる駆動源３１が配設されていることを特徴とする電気錠の切換えレバーと支持枠との構造。
【請求項８】
請求項５に於いて、切換えレバーＹの先端部には、ドライバーの先端部が係合する溝が形成されていることを特徴とする電気錠の切換えレバーと支持枠との構造。
【発明の詳細な説明】
【０００１】
【発明の属する技術分野】
本発明は電気錠の切換えレバーと支持枠との構造に関する。
【０００２】
【従来の技術】
本発明は、内外の操作部材態様（例えばレバーハンドルの回動操作を自由にするか、それとも不自由にすること）を切換えることができる切換えレバーを備えた電気錠、又は／及び作動モード（非通電時施錠型か、それとも通電時施錠型かに切換えること）を切換えることができる作動モード切換えレバーを備えた電気錠を開発するに伴い、切換えレバーを所定の位置に係止するために出現したものである。
【０００３】
従来、電気錠は建物の扉に取り付けられているが、住居用、商業用、福祉施設用など建物の用途如何によって、非通電時施錠型か、それとも通電時施錠型か、何れかの錠前を選択して取り付けている。また電気錠は、非通電時施錠型であれ或いは通電時施錠型であれ、例えばホテルの各部屋の扉に取り付ける場合には、アンチパニック機能（サムターンを操作しなくても内側操作部材の操作のみで扉を開けることができること。）を有することが望ましいので、室内からサムターンを操作しなくても、レバーハンドルの回動操作のみで扉を開くことができる電気錠を取り付けることが多い。一方、養老ホーム、公共的施設などの建物の扉に取り付ける場合には、防災時を考慮し、部屋の外からシリンダーのキー操作をしなくても外側操作部材の操作のみで扉を開けることができることが望ましい。そこで、そのようなタイプの電気錠が取り付けられている。このように電気錠は、現在、様々な型式のものが存在し、建物の用途別に選択されている。
【０００４】
ところで、ある建物の扉に非通電時施錠型を装着した場合に於いて、当該電気錠を通電時施錠型に作動モードを換えたい時がある。また、建物の用途変更に対応して当該電気錠の内外操作部材の態様も変えたいという場合もある。このような場合、従来の電気錠では、扉に一旦取り付けた電気錠を所望する型式の電気錠と交換せざるを得ないという問題点があった。そこで、一つの電気錠で作動モードと内外の操作部材の態様を自由に切換えることが可能な電気錠の切換え装置が要望されている。出願人は、一つの電気錠で作動モードと内外の操作部材の態様を自由に切換えることが可能な電気錠の切換え装置を開発した。この開発の流れの中で、所望する操作部材態様又は／及び所望する作動モードの態様に切換える手段（ここでは「切換えレバー」という。）を合理的にロックする或いは係止することができる電気錠の切換えレバーと支持枠との構造の出現が要望されている。
【０００５】
【発明が解決しようとする課題】
本発明は、以上のような技術的背景に鑑み、錠箱からフロント板を取り外し、支持枠と切換えレバーとの係合を解消させるだけで、切換えレバーを自由に切換えることができ、しかも、切換えレバーを自由に切換えも、どの切換え位置でも切換えレバーの先端部をロック状態に係止することができる電気錠の切換えレバーと支持枠との構造を提供することを目的とする。これにより、消極的な要素（不注意、振動など）により、一度設定した切換えレバーが動かない。次に、切換えレバーＹが複数個ある場合に於いて、一つの枢軸に各切換えレバーを併設状態で枢支し、錠箱内の限られたスペースを有効的に活用することを目的とする。さらに、切換えレバーに合理的な機能を付与し、かつ、切換えた時に十分な「クリック感」を得ることができることを目的とする。加えて、支持枠を開いた時或いは外した時は、換えレバーＹを容易に切換えることができると共に、再度の係止を容易に行うことができること目的とする。
上記課題を解説するための手段として、本発明の電気錠の切換えレバーと支持枠との構造は、フロンド板４にカバーされ、かつ、開口１１ａを有する錠箱３の裏板１１と、前記開口１１ａに先端部が臨むように枢軸１８に軸支された切換えレバーＹと、この切換えレバーＹを任意に切換えた時に前記先端部が選択的に係合する上方係合部７８と下方係合部７９とを有し、かつ、前記開口１１ａに嵌合する切換えレバー用支持枠７１とから成り、前記切換えレバーＹは、内側の操作部材のロック態様切換え用の内側切換えレバー５１と、外側の操作部材のロック態様切換え用外側切換えレバー５２と、電気錠の作動モードを非通電時施錠型か、それとも通電時施錠型かに切換えるための作動モード切換えレバー６５のいずれか一つ以上であることを特徴とする。
【０００６】
【発明の実施の形態】
図１乃至図１１に基づいて一実施例を説明する。図１は、切換えレバーと支持枠を備えた電気錠１の外観を示す。図２は扉２の自由側端部に形成された錠箱用空洞に電気錠１を収納した場合に於いて、フロント板の一部を切欠、かつフロント板側から見た概略説明図である。また図３は、図２に於いて、支持枠を取り外した時の概略説明図である。
【０００７】
まず図１乃至図３を参照に本発明の主な環境部材を説明する。電気錠１の錠箱３は、普通一般に一側開口のケース身３ａとケース蓋３ｂとから成り、ケース身３ａには後述する各部材が組み込まれる。４はフロント板、５はデッドボルト、６は外側の操作部材（ノブ，レバーハンドル）、７は内側の操作部材（ノブ，レバーハンドル）、８はキー操作によって施・解錠するシリンダー、９はサムターンである。
【０００８】
次に図４を参照に電気錠の一例について説明する。まず、本発明の切換えレバーと支持枠との構造は、電気錠１に取り付けられることを前提としている。普通一般に「電気錠」とは、電気的に施錠片を施・解錠操作する錠前のことをいう。したがって、本発明の電気錠１も、特に図示しないが、離れた場所から制御回路により電気的に錠箱３に内装された駆動源（例えばマイクロモータ）を起動し、該駆動源の駆動力によって錠箱３内の各部材（歯車、ロック片など）を作動させて施錠片５用のロック部材１０のロック状態を解消させることができる。
以下、本発明について詳細に説明するが、本発明は切換えレバーとその支持枠との構造に特徴があるので、本発明の特定事項に直接関係のない事項については簡単に説明する。
【０００９】
まず、図４に於いて、１１はフロント板４の裏面に固定的に接合する裏板で、この裏板１１の下部には開口１１ａが形成されている。また１２は開口１１ａの上方に位置するようにフロント板４並びに裏板１１に形成された案内窓である。デッドボルト５（通称、「デッド」）は、案内窓１２と、この案内窓１２に臨むように錠箱３に固定された案内部材（クリック感用突起１３ｄを有する固定部材の一例）を介してフロント板４或いは裏板１１を基準に出没自在に進退動する。デッドボルト５は図示しない戸枠側のストライクと係脱する。
【００１０】
固定部材の一例としての案内部材は、本実施例では、第１案内板１３と、これに一体的に結合する第２案内板１４とから成る。１５はケース身３ａの中央部に固定されたアングル状の第３案内板、１６はデッドバネである。デッドボルト５はデッドバネのバネ力に抗して後退する。
【００１１】
ここで、固定部材が本発明の切換えレバーに多少関係があるので、図８乃至図１１を参照にして固定部材（案内部材）を構成する第１案内板１３と第２案内板１４の構成を説明する。
【００１２】
図８は第１案内板１３である。第１案内板１３は、ケース蓋３ｂ、デッドボルト５、取付け筒１７、枢軸１８など他の組み合わせ部材を取り外した時に全体的な形状が見える。図８に於いて、１３ａはケース身３ａの内壁面に固定されるベース板本体で、特に要部の形状のみ図示している。このベース板本体１３ａは、ケース身３ａに固定されると垂直状態になる。
【００１３】
１３ｂはベース板本体３ａの中央部に交差状態に連設するデッド下面案内壁で、このデッド下面案内壁１３ｂの一端部（右端部）には、ケース蓋３ｂ方向に所要量延伸するオス嵌合突起１３ｃが設けられている。
【００１４】
１３ｄはオス嵌合突起１３ｃに連設して設けられた端面Ｖ時型のクリック感用突起である。このクリック感用突起１３ｄもデッド下面案内壁１３ｂの一端部から突出しているが、前記オス嵌合突起１３ｃよりもケース蓋方向への突出量は少ない。しかし、クリック感用突起１３ｄは、後述する内外の切換手段５１，５２との係合関係を得るために、デッド下面案内壁１３ｂの下面より逆山形状に所要量突出している。
【００１５】
１３ｅはデッド上面案内壁で、このデッド上面案内壁１３ｅはベース板本体１３ａの適当な端部にデッド下面案内壁１３ｂに対して所定間隔離間して設けられている。なお、１３ｆはメネジを有する取付け筒１７用貫通孔、１３ｇは枢軸１８用の軸孔である。
【００１６】
一方、図９は第２案内板１４である。この第２案内板１４は、本実施例では第１案内板１３とは別部材である。しかし、図１０及び図１１で示すように両部材１３，１４は互いに対向的に接合して一部角筒状となり、デッドボルト５を案内する機能、デッドボルト５を所定位置で止めるストッパー機能などを果す。
【００１７】
図９に於いて、１４ａは板状の蓋部、１４ｂは蓋部の他端部（左端部）に突出された差込端部で、この差込端部１４ｂは前述した裏板１１の案内窓１１ａに入り込み、デッドボルト５の側面と摺接して該デッドボルトの横揺れを防止する。１４ｃは蓋部の一端部（右端部）側に形成されたメス嵌合孔で、このメス嵌合孔１４ｃには前述したオス嵌合突起１３ｃが嵌合する。１４ｆはメネジを有する取付け筒１７用貫通孔、１４ｇは枢軸１８用軸孔である。
【００１８】
次に電気錠に組み込まれた作動切換え装置Ｘを構成する主な部材について説明する。なお、この電気錠１に於いて、錠箱３内に対称的に内外の部材が配設されているので、説明の便宜上、主として一方の部材のみ説明し、機能上同一の他方の部材については説明を割愛する（機能上同一の部分には、同一の符号を付す）。
【００１９】
図４に於いて、２０は内側の操作部材７の回転操作により回る内側駆動カム、２１は外側の操作部材６の操作により回る外側駆動カム、２２は長板形状の連動部材（リトラクター）である。
【００２０】
外側駆動カム２１は、図４を基準にすると、内側駆動カム２１の背面側に係合切欠を「１０時の方向」に向けた状態で、かつ、操作軸２３と同軸上に配設されている。そして、内側操作部材７を回すと手前側の内側駆動カム２０が独立に回転し、一方、外側操作部材６を回すと奥側の外側駆動カム２１が独立に回転するように軸に支承されている。
【００２１】
前記連動部材２２は、内外の駆動カム２０，２１と係合するように錠箱３に横軸２４を介して軸支されて、かつ、駆動カムに押されて戸枠側のストライクに係合している施錠片５を引き戻す。
【００２２】
また２５，２６は、内外の駆動カム２０，２１とそれぞれ係脱するように錠箱３に摺動自在に設けられた内外操作部材（直接的には駆動カム）用のロック手段である。ロック手段２５，２６は上下に対称的に配設され、かつ、錠箱３に斜め方向に形成された上下一対の案内部（開口、溝、切欠など）２７，２７にそれぞれスライド自在に嵌め込まれている。
【００２３】
また２８，２９は、内外のロック手段２５，２６のロック状態をそれぞれロック解除の状態に切換えることができるように中央軸３０を介して軸支された内外の係合アームである。錠箱３に対称的に軸支された内外の係合アーム２８，２９は、本発明の複数個の切換えレバーをそれぞれ切換えると、各切換えレバーに対応する内外の作動レバーを介してそれぞれ反対方向へと回転する。
【００２４】
図４では内側の係合アーム２８の全体が見えるが、内外の係合アーム２８，２９は、挟み状に突出する第１係合部と、腕状の第２係合部とを有し、前記第１係合部は対応するロック手段２５（外側はロック手段２６）に係合する。一方、前記腕状の第２係合部は、後述する駆動源（ソレノイド）３１の駆動片３２と係合する。
【００２５】
なお、前記中央軸３０にはバネ部材が巻装され、このバネ部材の一端部は、内外の係合アーム２８，２９に適宜に圧接し（他端部は、他の部材に受止めされている。）、かつ、内外の係合アームを一方向に付勢している。本実施例では、内側の係合アーム２８はバネ部材のバネ力により常時反時計方向に、一方、外側の係合アーム２９はバネ部材のバネ力により常時時計方向に付勢されている。
【００２６】
次に、錠箱３の裏板１１との関係付けて本発明は切換えレバーＹとその支持枠７１との構造について説明する。例えば図６で示すように裏板１１には開口１１ａが形成されているが、この開口１１ａは、矩形状の大きい嵌合窓４０と、この大嵌合窓４０の下辺の中央部に連通する段差状の小さな嵌合窓４１から成る。そして、小嵌合窓４１の下方の外壁面には、小さなドライバーの先端部が入り込むことができる小凹所４２が形成されている。
【００２７】
図４で示すように、切換えレバーＹは、デッドボルト５と駆動源３１との間に位置する枢軸１８に軸支され、かつ、その先端部が前記開口１１ａに臨んでいる。本実施例の切換えレバーＹは、内側係合アーム２８用の内側切換えレバー５１と、外側係合アーム２９用の外側切換えレバー５２と、電気錠の作動モード切換え用の作動モード切換えレバー６５の「３種類」で構成されている。内側切換えレバー５１と、モード切換えレバー６５と、外側切換えレバー５２は一つの枢軸１８に併設されている。図４では手前に内側切換えレバー５１が見え、次いでモード切換えレバー６５が見え、奥に外側切換えレバー５２が位置している。
【００２８】
図７は切換えレバーＹを示す。図７で示すように、内側切換えレバー５１と、外側切換えレバー５２とは同一形状である。ここでは説明の便宜上、内側切換えレバー５１（一方）のみを説明する（外側切換えレバー５２の各部位には同一の符号を付す）。
【００２９】
しかして、５１ａは軸孔を有する中心部、５１ｂは中心部から裏板１１の開口１１ａに向かって延伸する先端部、５１ｃは中心部からケース身の後壁側に向かって延伸する後端部である。本実施例では、前記先端部５１ｂには「クチバシ状」の小さな水平溝５３が形成され、該水平溝５３には図示しない小さなドライバー（工具）の先端部が係合可能である。また前記後端部５１ｃには、上方に多少の間隙５４を有して中心部５１ｂへと延びる細幅の変位部５１ｄが連設している。そして、変位部５１ｄの先端部には、第１案内板１３のクリック感用突起１３ｄと摺接係合する山形状の係合爪５５が形成されている。
【００３０】
ところで、図５には内側切換えレバー５１の後端部５１ｃに係合する内側の係合作動レバー５６が示されている。内側切換えレバー５１の後端部５１ｃは、各部材の配設如何によっては、直接内側係合アーム２８に係合させても良い。本実施例の電気錠１では、内側切換えレバー５１の後端部５１ｃは内側の係合作動レバー５６を介して内側係合アーム２８に係合している。したがって、特に図示しないが、外側切換えレバー５２も、外側の係合作動レバーを介して外側の係合アーム２９に間接的に係合している。
【００３１】
ここで、図５を参照にして内側の係合作動レバー５６の構成について説明する。係合作動レバー５６は、例えば左手の親指と人差し指を広げた場合のように、全体として「Ｃ字型形状」をしている。５６ａは下端部、５６ｂは上端部、５６ｃは上端部と下端部に連設する板状連設部である。
【００３２】
しかして、前記下端部５６ａには、内側の係合アーム２８の挟み状第１係合部に係合する突起５７が設けられ、一方、板状連設部５６ｃの上部の一部には内側切換えレバー５１の後端部５１ｃに係合可能な係合突片５８が設けられている。したがって、内側切換えレバー５１を切換えた結果、その後端部５１ｃが上方方向へと移動すると、内側の係合作動レバー５６は、固定軸５９を介して時計方向へと回転する。それ故に、内側の係合アーム２８も中央軸３０を中心に同方向へ回転する。このように内側切換えレバー５１を切換えると、幾つかの内側部材が連動する。なお、外側切換えレバー５２を切換えた場合には、幾つかの外側部材が連動する。
【００３３】
次に電気錠１の作動モード切換えレバー６５について説明する。その前に図４を参照にしてモード切換えレバー６５に関係する部材について説明する。３１は錠箱３内に移動可能に設けられた駆動源である。本実施例ではソレノイドが用いられている。駆動源３１は錠箱３の隅部に水平移動可能に配設され、作動杆３３の突出部には棒状の駆動片３２が連結されている。駆動片３２の上端部は、内外係合アーム２８，２９の対向的な第２係合部内にそれぞれ係合可能に位置している。また駆動源３１の上壁にはオス係合部としての突起片３４が設けられている。
【００３４】
さて、作動モード切換えレバー６５は、内外の切換えレバーと一緒に併設状態に一つの枢軸１８に設けられているが、該切換えレバー６５は駆動源３１の位置を水平移動させるために設けたものであるから、形状的には内外の切換えレバー５１，５２のそれとは多少異なる。しかし、機能的には同様の部分が幾つかある。
【００３５】
しかして、６５ａは軸孔を有する胴体部、６５ｂは胴体部から裏板１１の開口１１ａに向かって延伸する頭部、６５ｃは尾部である。本実施例では、前記頭部６５ｂには、内外の切換えレバー５１，５２と同様に「クチバシ状」の小さな水平溝６６が形成され、該水平溝６６には、同じく小さなドライバー（工具）の先端部が係合可能である。また前記尾部部６５ｃには、上方に多少の間隙６７を有して延びる細幅の変位部６５ｄが連設している。そして、該変位部６５ｄの先端部には、同じく第１案内板１３のクリック感用突起１３ｄと摺接状態に係合する山形状の係合爪６８が形成されている。
【００３６】
また胴体部６５ａの下方には二脚状のメス係合突起６９が設けられ、該メス係合突起６９には前述したソレノドの突起片３４が係合する。この作動モード切換えレバー６５を切換えると、ソレノイド６０の配設位置が水平移動し、これにより電気錠の作動モードを非通電時施錠か、それとも通電時施錠かに切り換る。
【００３７】
最後に切換えレバー用支持枠７１について説明する。合成樹脂製の支持枠７１は裏板１１の開口１１ａに取り外し自在に嵌合する。図６で示すように支持枠７１は、柵状或いは格子状の係止部７２を有する。係止部７２は、障子枠のように、下杆部７３と、上杆部７４と、中杆部７５と、左右の杆部７６，７７とから成り、棒状の上杆部７４の左右端部は裏板１１の内壁面に当接係合できるように左右の杆部７６，７７から突出している。すなわち、支持枠７１の上端部には軸機能を発揮する突起７４ａ，７４ａが設けられている。これにより支持枠７１は、左右の突起７４ａ，７４ａを支点に下方から回転する（開らく）。
【００３８】
また、上杆部７４と中杆部７５との間に形成された計３個の上方係合部（貫通）７８及び中杆部７５と下杆部７３との間に形成された計３個の下方係合部（貫通）７９には、切換え如何によって、内側切換えレバー５１、外側切換えレバー５２、作動モード切換えレバー６５の各先端部がそれぞれ選択的に係合する。
【００３９】
８０は材質自体の弾性力により内側に変位可能な操作片部で、この操作片部８０は下杆部７３の後壁から横向きＵ字型状に連設している。そして、自由端部８０ａは小嵌合窓４１の縁部に多少当接する。この時、自由端部８０ａの下には小凹所４２の間隙が残されている。
【００４０】
図５は内側切換えレバー５１が上方係合部７８に係止状態に係合し、一方、作動モード切換えレバー６５が下方係合部７９に係止状態に係合している状態を示している。このように、本実施例では、切換えレバーＹを任意に切換えた後に、支持枠７１の上方係合部７８か、又は下方係合部７９のいずれかに動かないように係止させることができる。
【００４１】
【実施例】
内外のレバー状切換えレバー５１，５２は作用や機能が同じであれば、その形状は異なるものであっても良い。要は切換えレバーＹを切換えた以降は、自由に回転できないような形態であれば良い。また切換えレバー用支持枠７１は、下方から開らくことができるように上端部に左右突起７４ａ，７４ａが形成されているが、支持枠７１を上方から開く場合もあるから、このような場合には、支持枠７１の下端部に左右突起７４ａ，７４ａが形成される。なお、本発明の各部材に於いて、オス（凸）係合部とメス（凹）係合部の係合関係は、任意に設計変更可能である。
【００４２】
【発明の効果】
以上の説明から明らかなように、本発明にあっては、次に列挙するような効果がある。
（１）錠箱からフロント板を取り外し、支持枠と切換えレバーＹとの係合を解消させるだけで、切換えレバーＹを自由に切換えることができる。しかも、切換えレバーＹを切換えた後には、どの位置でも切換えレバーＹの先端部が支持枠に係止されるので、消極的な要素（不注意、振動など）により切換えレバーＹが動くことがない。
（２）切換えレバーＹが複数個の場合に於いて、一つの枢軸に各切換えレバーを併設状態で枢支するので、錠箱内の限られたスペースを有効的に活用することができる。また、対応する内外の部材との関係で、切換えを適格になすことができる。特に、本実施例の電気錠では、切換えレバーＹが内側切換えレバー５１と、外側切換えレバー５２と、作動モード切換えレバー６５の「３つ」の切換えレバーからなるので、電気錠の作動モード及び／又は内外の操作部材の態様を簡単に切換えることができる。
（３）固定部材のクリック感用突起と摺接する係合爪を有する実施例の場合には、切換えレバーを切換えた時に「クリック感」を得ることができる。
（４）切換えレバーＹの先端部にドライバーの先端部が係合する溝が設けられている実施例の場合には、切換えレバーＹを容易に切換えることができる。
【図面の簡単な説明】
図１乃至図１１は本発明の一実施例を示す各説明図。
【図１】電気錠１の外観を示す斜視図。
【図２】フロント板の一部を切欠し、かつ、フロント板側から見た概略説明図。
【図３】フロント板の一部を切欠し、かつ、支持枠を外した場合のフロント板側から見た概略説明図。
【図４】電気錠の内部構造の一例を示す説明図（これを便宜上、正面とする。支持枠は取り外して示す。）。
【図５】本発明の主要部材を関連部材と共に示す概略説明図。
【図６】本発明の主要部材の斜視図。
【図７】本発明の要部（切換えレバー）の正面視からの説明図。
【図８】要部（第１案内板など）の説明図。
【図９】要部（第２案内板）の説明図。
【図１０】要部（案内板を組み合わせた状態）の説明図。
【図１１】要部（案内板を組み合わせた状態）の斜視図。
【符号の説明】
Ｘ…切換え装置、Ｙ…切換えレバー、１…電気錠、２…扉、３…錠箱、３ａ…ケース身、３ｂ…ケース蓋、４…フロント板、５…施錠片（デッドボルト）、６…外側の操作部材、７…内側の操作部材、８…シリンダー、９…サムターン、１０…ロック部材、１１…裏板、１１ａ…開口、１２…案内窓、１３…第１案内板、１３ａ…ベース板本体、１３ｂ…デッド下面案内壁、１３ｃ…オス嵌合突起、１３ｄ…クリック感用突起、１３ｅ…デッド上面案内壁で、１３ｆ…取付け筒用貫通孔、１３ｇ…枢軸用軸孔、１４…第２案内板、１４ａ…蓋部、１４ｂ…差込端部、１４ｃ…メス嵌合孔、１４ｆ…取付け筒用貫通孔、１４ｇ…枢軸用軸孔、１５…第３案内板、１６…デッドバネ、１７…取付け筒、１８…枢軸、２０…内側の駆動カム、２１…外側の駆動カム、２２…連動部材、２３…操作軸、２４…横軸、２５…内側操作部材用のロック手段、２６…外側操作部材用のロック手段、２７…案内部、２８…内側の係合アーム、２９…外側の係合アーム、３０…中央軸、３１…駆動源、３２…作動杆、３４…突起片、４０…大嵌合窓、４１…小嵌合窓、４２…小凹所、５１…内側切換えレバー、５１ａ…中心部、５１ｂ…先端部、５１ｃ…後端部、５１ｄ…変位部、５２…外側切換えレバー、５３…水平溝、５４…間隙、５５…係合爪、５６…内側係合作動レバー、５６ａ…下端部、５６ｂ…上端部、５６ｃ…板状連設部、５７…突起５７、５８…係合突片、５９…固定軸、６３…駆動片、６４…突起片、６５…作動モード切換えレバー、６５ａ…胴体部、６５ｂ…頭部、６５ｃ…尾部、６５ｄ…変位部、６６…水平溝、６７…間隙、６８…係合爪、６９…メス係合突起、７１…支持枠、７２…係止部、７３…下杆部、７４…上杆部、７５…中杆部、７６…左杆部、７７…右杆部、７８…上方係合部、７９…下方係合部、８０…操作片部、８０ａ…自由端部。
【図１】
0004126181.tif 000002
【図２】
0004126181.tif 000003
【図３】
0004126181.tif 000004
【図４】
0004126181.tif 000005
【図５】
0004126181.tif 000006
【図６】
0004126181.tif 000007
【図７】
0004126181.tif 000008
【図８】
0004126181.tif 000009
【図９】
0004126181.tif 000010
【図１０】
0004126181.tif 000011
【図１１】
0004126181.tif 000012